(57)【特許請求の範囲】
【請求項１】
サージ吸収素子を内蔵したサージ吸収器を電磁接触器の表面に取付けると共に、上記サージ吸収素子と上記電磁接触器の端子ネジを電気的に接続するサージ吸収器付き電磁接触器において、
上記サージ吸収素子に電気的に接続された導電性の押圧部材と、
上記押圧部材に固定された導電性の弾性体と、
上記弾性体に押圧されると共に、上記電磁接触器の端子ネジの頭部を押圧する導電性の充電部材と、
上記サージ吸収器には上記押圧部材が固定される固定部を設けると共に、上記サージ吸収器を上記電磁接触器の表面に取付けた状態において、
上記電磁接触器の端子ネジの略中心と一致する位置に上記弾性体及び上記充電部材を挿入する孔とを備え、上記弾性体が固定された上記押圧部材及び上記充電部材を上記孔に挿入すると共に、上記固定部に上記押圧部材を固定されたことを特徴とするサージ吸収器付き電磁接触器。
【請求項２】
上記弾性体はコイル状のバネであり、上記押圧部材は板状であると共に、上記バネを嵌合させる溝部を備えたことを特徴とする請求項１に記載のサージ吸収器付き電磁接触器。
【請求項３】
上記サージ吸収器には上記電磁接触器の可動接点を駆動する可動体の上部を覆わないように中空部を設けたことを特徴とする請求項１から請求項２のいづれかに記載のサージ吸収器付き電磁接触器。
【発明の詳細な説明】
【０００１】
【産業上の利用分野】
この発明は電磁接触器の接点機構を開閉した際に該接点間に発生するアークを抑制するサージ吸収器を取り付けたサージ吸収器付き電磁接触器の改良に関するものである。
【０００２】
【従来の技術】
図７及び図８は実開平２−７４７４３号公報に開示されているサージ吸収器付き電磁接触器である。図７において、１０はサージ吸収素子を内蔵したサージ吸収器で、このサージ吸収器１０はサージ吸収素子が収納されたケース１１とベース１２とから成っている。ベース１２の下部には凹所１２ａが形成され、この凹所１２ａの両側壁にはそれぞれ内側に突出する４個の爪部１２ｂ〜１２ｅが形成されている。ベース１２の凹所１２ａの略中央部には凹所１２ａ底面から垂直に支持板１２ｆが植設され、この支持板１２ｆには支持板１２ｆに対して垂直に弾性を有する舌片部１２ｇが設けられている。この舌片部１２ｇには電磁接触器５０の上面のはめ合い部５２ｅ（図８参照）に係合する突起部１２ｈが設けられている。なお、１４はデルタ結線のそれぞれの頂点に接続されたリード線で、１５はリード線１４の先端に接続された端子である。
【０００３】
図８において、電磁接触器５０はベース５１とケース５２からなり、ベース５１には固定鉄心及び固定鉄心に巻回された電磁コイルと、この電磁コイルへの通電により固定鉄心に吸引される可動体５９である可動鉄心が収納されている。なお、ケース５２内には可動鉄心に連結された可動接触子支え、接点機構部が収納されている。ケース５２の上面には４個の鈎状係合部５２ａ〜５２ｄが形成され、可動体５９の上部が僅かにケース５２の表面から突出されている。また、ケース５２の上面には角穴からなるはめ合い部５２ｅが形成されている。なお、５２ｆは電線の端子が接続される端子部である。
【０００４】
サージ吸収器１０の電磁接触器５０への取付について説明する。図８に示す状態で電磁接触器５０が制御盤等に取り付けられているとすると、サージ吸収器１０の底面を電磁接触器５０の上面に対向させ、サージ吸収器１０をスライドさせて、サージ吸収器１０の爪部１２ｂ〜１２ｅが電磁接触器５０上面の鈎状係合部５２ａ〜５２ｄに圧入される。この圧入によりサージ吸収器１０の舌片部１２ｇが電磁接触器５０のはめあい部５２ｅに嵌合される。これによりサージ吸収器１０が電磁接触器５０に取り付けられ、ロックされる。この状態からサージ吸収器１０の端子１５を電磁接触器５０の端子部５２ｆに配線する。
【０００５】
【発明が解決しようとする課題】
従来、上記のようにサージ吸収器１０を電磁接触器５０に取り付けていたので、既に、端子部５２ｆに外部電線の端子が配線されている場合、サージ吸収器１０の端子１５を該端子部５２ｆに配線するには端子部５２ｆのネジを取り外し、端子１５を該端子部５２ｆに接続した後、再度、ネジを締めなければならないので、作業が繁雑であった。また、電磁接触器５０の端子部５２ｆに外部電線の端子が複数配線されている場合、端子部５２ｆの接続端子数の制限等によりサージ吸収器１０の端子１５を端子部５２ｆへ配線することが困難であるという第１の問題点がある。
【０００６】
また、電磁接触器５０の表面にサージ吸収器１０が取付けられた場合、サージ吸収器１０により可動体５９が覆われるので、電磁接触器５０のオン・オフの動作を可動体５９によって確認することが困難になるという第２の問題点がある。
【０００７】
この発明の第１の目的は上記第１の問題点を解決するためになされたもので、サージ吸収器と電磁接触器の配線を簡易にし、電磁接触器が配線されていても容易にサージ吸収器の配線ができるサージ吸収器付き電磁接触器を提供することにある。
【０００８】
また、この発明の第２の目的は上記第２の問題点を解決するためになされたもので、サージ吸収器を電磁接触器に装着した状態において、電磁接触器の動作状態の確認ができるサージ吸収器付き電磁接触器を提供することにある。
【０００９】
【課題を解決するための手段】
第１の発明に係るサージ吸収器付き電磁接触器は、サージ吸収素子を内蔵したサージ吸収器を電磁接触器の表面に取付けると共に、上記サージ吸収素子と上記電磁接触器の端子ネジを電気的に接続するサージ吸収器付き電磁接触器において、上記サージ吸収素子に電気的に接続された導電性の押圧部材と、上記押圧部材に固定された導電性の弾性体と、上記弾性体に押圧されると共に、上記電磁接触器の端子ネジの頭部を押圧する導電性の充電部材と、上記サージ吸収器には上記押圧部材が固定される固定部を設けると共に、上記サージ吸収器を上記電磁接触器の表面に取付けた状態において、上記電磁接触器の端子ネジの略中心と一致する位置に上記弾性体及び上記充電部材を挿入する孔とを備え、上記弾性体が固定された上記押圧部材及び上記充電部材を上記孔に挿入すると共に、上記固定部に上記押圧部材を固定することを特徴とするものである。
【００１１】
第２の発明に係るサージ吸収器付き電磁接触器は、上記弾性体はコイル状のバネであり、上記押圧部材は板状であると共に、上記バネを嵌合させる溝部を備えたことを特徴とするものである。
【００１３】
第３の発明に係るサージ吸収器付き電磁接触器は、上記サージ吸収器には上記電磁接触器の可動接点を駆動する可動体の上部を覆わないように中空部を設けたことを特徴とするものである。
【００１４】
【作用】
第１の発明に係るサージ吸収器付き電磁接触器によれば、導電性の押圧部材はサージ吸収素子に電気的に接続され、導電性の弾性体は上記押圧部材に固定され、導電性の充電部材は上記弾性体に押圧されると共に、上記電磁接触器の端子ネジの頭部を押圧し、上記サージ吸収器の固定部は上記押圧部材が固定し、上記サージ吸収器の孔は上記サージ吸収器を上記電磁接触器の表面に取付けた状態において、上記電磁接触器の端子ネジの略中心と一致する位置に上記弾性体及び上記充電部材を挿入する。
【００１６】
第２の発明に係るサージ吸収器付き電磁接触器によれば、板状の押圧部材の溝部にコイル状のバネを嵌合させる。
【００１８】
第３の発明に係るサージ吸収器付き電磁接触器によれば、サージ吸収器の中空部は電磁接触器の接点機構を駆動する可動体上部を露出する。
【００１９】
【実施例】
実施例１．
この発明の実施例を図１〜図４を参照して説明する。図１において、電磁接触器の本体１５８には端子ネジ２０６が接続され、この本体１５８の上面にはサージ吸収器１００との第２の連結部１５１を備え、第２の連結部１５１には２対の対向した逆Ｌ型片１５１ａを設け、中央部を切り欠いた１対の対向した切欠き部１５１ｂとを設けている。なお、可動体１５９は本体１５８の内部の可動鉄心と連動して上下動自在な構成になっている。
【００２０】
図４において、１００はサージ吸収器で、このサージ吸収器１００はケース１０１とベース１０２が一体と成っている。このケース１０１には注形樹脂１１５により封止されたプリント基板１１３が収納されている。なお、プリント基板１１３は抵抗Ｒ及びコンデンサＣの直列回路からなる３個のサージ吸収素子をデルタ結線して接続され、それぞれの３つの結合部にはリード線１１４が接続されている。なお、１１０は端子ネジ２０６を固定する固定端子で、この固定端子１１０の先端には接点１１０ａが固定されている。また、１１１ａは接点１１０ａと開閉動作する可動接点である。
【００２１】
図２において、サージ吸収器１００のベース１０２には底面が四角形に切り欠かれた切欠き部１０２ｂが設けられ、この切欠き部１０２ｂの中央部に貫通された中空部１０２ｅが形成されている。さらに、ベース１０２の底面には切り欠き部１０２ｂの側面に後述する継手部材１９０の水平案内部１９２をスライドさせる一対の凹状の水平レール部１０６が設けられており、この水平レール部１０６に近接して垂直に後述する継手部材１９０の垂直案内部１９１をスライドさせる一対の凹状の垂直レール部１０５が設けられている。水平レール部１０６の下面部１０６ｃには円弧状の第２の突起１０７が設けられていて、この第２の突起１０７の一端に垂直面１０７ａが形成されている。さらに、この下面部１０６ｃの奥の端部には傾斜した第２の傾斜部１０８が設けられている。また、両垂直レール部１０５を結合する橋絡部１０９の中央下部に四角形の凹部１０９ａを設けていて、この凹部１０９ａにははめ合い部１０９ｂが設けられている。また、ベース１０２の底面部には僅かに突出し、各々が均一な高さで形成される４個の突起１０２ｚが形成されている。なお、この実施例では水平レール部１０６及び垂直レール部１０５が案内受け部を構成するが、どちらか一方が案内受け部でも良い。
【００２２】
図１において、３本のリード線１１４の端末には導電性の材料からなる押圧部材２０１がそれぞれ接続されている。この押圧部材２０１は導電性の材料からなる弾性体としてのコイル状のバネ２０３の内径部に嵌合して係止するための溝部２０１ａを設け、この押圧部材２０１の溝部２０１ａから先端にはバネ２０３に嵌入する先端部２０１ｂが設けられている。なお、押圧部材２０１の形状は板状である必要はなく、例えば、棒状でも良いが押圧部材２０１の相互間の絶縁距離を確保するために板状が望ましい。なお、バネ２０３の一端は頭部２０４ａを有する充電部材としての接触ピン２０４を押圧するために、この頭部２０４ａの外径よりもバネ２０３の外径が小さく成っている。
【００２３】
また、ベース１０２には押圧部材２０１及びバネ２０３、接触ピン２０４が挿入される穿設された孔１０３が設けられており、この孔１０３の先端部には接触ピン２０４を孔１０３に挿入後に、接触ピン２０４が横方向へずれることを防止する機能を有する筒状の案内部１０４を設けている。さらに、サージ吸収器１００を電磁接触器の本体１５８の表面に取付けた状態において、この孔１０３は本体１５８の端子ねじ２０６の頭部の中心と一致するように穿設されている。
【００２４】
孔１０３の挿入口には押圧部材２０１をベース１０２に圧入して嵌合するための板状の固定部としての溝部１０２ｃが形成されており、この孔１０３の近傍には押圧部材２０１の相互間の絶縁を確保するバリア１０２ｄが形成されている。なお、ケース１０１には側面部の４箇所に穿設された孔１０１ａと、ベース１０２には孔１０１ａに嵌合させる鎌状の突起１０２ａを設けている。
【００２５】
図２において、１９０は継手部材で、この継手部材１９０はサージ吸収器１００と本体１５８を結合させる仲介をする機能を有するものであり、サージ吸収器１００に継手部材１９０が圧入された後、継手部材１９０を本体１５８にスライドして強固に固定するものである。
【００２６】
継手部材１９０は略コの字状をしており、継手部材１９０は下面の両端に本体１５８の第２の連結部１５１と結合されるＬ字型の一対の対向した第１の連結部１９６が設けられ、この第１の連結部１９６は一端には一対の対向したＬ型部１９６ａと、同様に他端には２つの切り欠き１９６ｂにより形成された一対の対向したＬ型部１９６ｃと、中央部には切り欠いた１対の対向した切欠き部１９６ｄとが形成されている。継手部材１９０の両側面にベース１０２の水平レール部１０６に摺動結合させる板状の一対の水平案内部１９２を設けている。継手部材１９０の上部には、ベース１０２の垂直レール部１０９に摺動結合させる板状の一対の垂直案内部１９１を設けている。この水平案内部１９２の前面側の端には２段に形成された第１の傾斜部１９３ａ、１９３ｂが設けられている。なお、この実施例では水平案内部１９２及び垂直案内部１９１が案内部を構成するが、どちらか一方が案内部でも良い。また、第１の傾斜部１９３ａ、１９３ｂと２段に形成されているが、傾斜部１９３ａ、１９３ｂのいづれか１段でも良い。
【００２７】
また、水平案内部１９２の側面に円弧状の滑らかな面で形成されている抜け止めの機能を有する一対の第１の突起１９４が設けられていて、この第１の突起１９４の一端に垂直面１９４ａが形成されている。さらに、水平案内部１９２には長方形状の穿設された一対の孔１９５を設け、この孔１９５によって水平案内部１９２の側面が押圧されることにより弾性変形可能となっている。両水平案内部１９２を橋絡する橋絡部１９８が設けられており、この橋絡部１９８には中央に突起１９８ａを設けていて、この突起１９８ａの奥にベース１０２のはめ合い部１０９ｂに嵌合される四角形の突起１９８ｂが設けられている。
【００２８】
以上のように構成されたサージ吸収器付き電磁接触器の組立を説明する。まず、サージ吸収器の組立について説明する。
【００２９】
ケース１０１にプリント基板１１３が収納され、接触ピン２０４をベース１０２の孔１０３に挿入する。次に、バネ２０３の一端を押圧部材２０１の先端部２０１ｂに貫通させ、バネ２０３の一巻を押圧部材２０１の溝２０１ａに嵌合させる。これにより押圧部材２０１とバネ２０３が一体となる。一体になった押圧部材２０１とバネ２０３をベース１０２の孔１０３に挿入し、押圧部材２０１を溝部１０２ｃに圧入して固定させる。この状態において、押圧部材２０１がバネ２０３の一端を押圧し、バネ２０３の他端が接触ピン２０４を押圧する。したがって、充分な押圧力を接触ピン２０４に与えている。さらに、ケース１０１の孔１０１ａにベース１０２の鎌状の突起１０２ａを嵌合し、ケース１０１とベース１０２が結合する。これによりサージ吸収器１００の組立が完了する。
【００３０】
次に、継手部材１９０をサージ吸収器１００のベース１０２への装着について説明する。
【００３１】
まず、継手部材１９０を矢印ａの方向から水平にベース１０２に挿入する。継手部材１９０の垂直案内部１９１および水平案内部１９２はそれぞれベース１０２の垂直レール部１０５と水平レール部１０６に摺動しながら挿入される。この挿入が進むにつれて継手部材１９０の突起１９４とベース１０２の突起１０７とラップするが継手部材１９０の孔１９５により水平案内部１９２が内側へ弾性変形し、該突起１９４も内側に移動するので、突起１９４が突起１０７を乗り越える。突起１０７の垂直面１０７ａと突起１９４の垂直面１９４ａが相互に当接して継手部材１９０がベース１０２からの抜け止め防止となる。同時に、ベース１０２の傾斜面１０８に継手部材１９０のベース１０２から水平案内部１９２が接触し水平案内部１９２が上方に押し上げられ、継手部材１９０の傾斜部１９３ａ、１９３ｂと水平レール部１０６の入口部と圧接される。さらに、ベース１０２の橋絡部１０９のはめ合い部１０９ｂと継手部材１９０の突起１９８が嵌合する。
【００３２】
継手部材１９０がベース１０２に圧入された後、図２の矢視Ｘから見た平面図を図３に示す。
【００３３】
次に、継手部材１９０が装着されたサージ吸収器１００を本体１５８への取り付けについて説明する。
【００３４】
継手部材１９０の切り欠き部１９６ｄを本体１５８の逆Ｌ型片１５１ａに遊挿するとともに、継手部材１９０のＬ型部１９６ａを本体１５８の切欠き部１５１ｂに遊挿して、矢印ｂのようにサージ吸収器１００をスライド挿入して、本体１５８の逆Ｌ型片１５１ａと継手部材１９０のＬ型部１９６ａ、１９６ｃと連結固定する。ここで、継手部材１９０の水平案内部１９２は下側から荷重を加えながら圧入されているので、この反力によりサージ吸収器１００の突起部１０２ｚが本体１０８の表面に押えられるために、強固な固定力が得られ、本体１５８の端子ねじ２０６と接触ピン２０４の中心軸が一致する。
【００３５】
したがって、押圧部材２０１と一体になったバネ２０３により押圧した接触ピン２０４は端子ねじ２０６により押圧されて接触され、サージ吸収器１０１のサージ吸収素子と端子ねじ２０６とが電気的に接続される。
【００３６】
なお、コイルばね２０３の収縮量が短くとも接触ピン２０４を押圧できるようにすることにより端子ネジ２０６に接続される端子金具の数や厚さにより端子ネジ２０６の頭部の上下位置が変動するが、この位置が下にあっても充分な押圧力を接触ピン２０４に与えることができる。このため端子ネジ２０６に配線されていても容易にサージ吸収器１００の配線ができる。
【００３８】
実施例２．
この発明の他の実施例を図５及び図６を参照して説明する。図５及び図６において、６００は略コの字形のサージ吸収器で、このサージ吸収器６００は略コの字形のベース６０２とケース６０１にサージ吸収素子を結線したプリント基板６１３が収納されている。ここで、サージ吸収器６００の中空部６００ａの幅Ｗが可動体１５９の幅ｗａよりも大きく形成されている。
【００３９】
サージ吸収器６００を本体５１８に取付けた場合、図６に示すように本体５１８の可動体１５９の上面露出部はサージ吸収器６００により覆われないので、可動体１５９の動作確認、すなわち、電磁接触器の動作を目視により確認ができる。また、可動体１５９の上面を作業者が手で押せるので、電磁接触器を組み込んだシステムにおけるシーケンスチック等が容易となる。
【００４０】
なお、電磁接触器の本体５１８に過電流保護継電器５１６を接続した状態において、サージ吸収器６００を固定できる。
【００４１】
【発明の効果】
この発明は以上説明したように第１の発明によれば、サージ吸収素子に電気的に接続された導電性の押圧部材と、上記押圧部材に固定された導電性の弾性体と、上記弾性体に押圧されると共に、上記電磁接触器の端子ネジの頭部を押圧する導電性の充電部材と、上記サージ吸収器には上記押圧部材が固定される固定部を設けると共に、上記サージ吸収器を上記電磁接触器の表面に取付けた状態において、上記電磁接触器の端子ネジの略中心と一致する位置に上記弾性体及び上記充電部材を挿入する孔とを備え、上記弾性体が固定された上記押圧部材及び上記充電部材を上記孔に挿入すると共に、上記固定部に上記押圧部材を固定したので、サージ吸収器と電磁接触器の配線が容易になるという効果がある。
【００４３】
第２の発明によれば、弾性体はコイル状のバネであり、押圧部材は板状であると共に、バネを嵌合させる溝部を備えたので、押圧部材間の絶縁が容易になる効果がある。
【００４５】
第３の発明によれば、サージ吸収器を電磁接触器の接点機構を駆動する可動体上部を覆わないように中空部を設けたので、サージ吸収器を電磁接触器に装着した状態において、電磁接触器の可動体の動作が確認できるという効果がある。
【図面の簡単な説明】
【図１】この発明の実施例を示すサージ吸収器と電磁接触器の斜視図。
【図２】図１のサージ吸収器と電磁接触器の結合部を示す斜視図。
【図３】図１のサージ吸収器と電磁接触器の結合部である部分断面図。
【図４】図１のサージ吸収器付き電磁接触器の断面図である。
【図５】この発明の他の実施例であるサージ吸収器の断面図。
【図６】図５のサージ吸収器を電磁接触器に取付けた正面図である。
【図７】従来のサージ吸収器の斜視図。
【図８】従来の電磁接触器本体の斜視図。
【図１】
0003617106.tif 000002
【図２】
0003617106.tif 000003
【図３】
0003617106.tif 000004
【図４】
0003617106.tif 000005
【図５】
0003617106.tif 000006
【図６】
0003617106.tif 000007
【図７】
0003617106.tif 000008
【図８】
0003617106.tif 000009